(57)【特許請求の範囲】
【請求項１】
外側回転部材と同外側回転部材内にて同軸的かつ回転可能に位置する内側回転部材との間に、メインクラッチ機構、カム機構および電磁式のパイロットクラッチ機構を配設して構成され、前記パイロットクラッチ機構の電磁コイルに電流を印加することにより発生するパイロットトルクを前記カム機構にて軸方向のカム推力に変換し、同カム推力にて前記メインクラッチ機構を押圧して係合動作させて、前記両回転部材間のトルク伝達を行う駆動力伝達装置であって、前記電磁コイルに対する印加電流を増減することにより前記メインクラッチ機構に生じるカップリング伝達トルクを制御する制御装置を備える駆動力伝達装置であり、
当該駆動力伝達装置は、前記外側回転部材または同外側回転部材に連結された駆動経路と前記内側回転部材または同内側回転部材に連結された駆動経路との間の駆動系ねじれ角を検出するねじれ角検出手段を備え、
前記制御装置は、前記ねじれ角検出手段にて検出されるねじれ角のねじれ方向が反転する際のねじれ角度がゼロの近傍に至った時点で、前記電磁コイルに対する印加電流を低減して、前記カム機構に残留するカム推力を開放し、その後、前記電磁コイルに電流を印加して前記メインクラッチ機構を再係合する制御を行うことを特徴とする駆動力伝達装置。
【請求項２】
外側回転部材と同外側回転部材内にて同軸的かつ回転可能に位置する内側回転部材との間に、メインクラッチ機構、カム機構および電磁式のパイロットクラッチ機構を配設して構成され、前記パイロットクラッチ機構の電磁コイルに電流を印加することにより発生するパイロットトルクを前記カム機構にて軸方向のカム推力に変換し、同カム推力にて前記メインクラッチ機構を押圧して係合動作させて、前記両回転部材間のトルク伝達を行う駆動力伝達装置であって、前記電磁コイルに対する印加電流を増減することにより前記メインクラッチ機構に生じるカップリング伝達トルクを制御する制御装置を備える駆動力伝達装置であり、
当該駆動力伝達装置は、前記外側回転部材または同外側回転部材に連結された駆動経路と前記内側回転部材または同内側回転部材に連結された駆動経路との間の駆動系ねじれ角を検出するねじれ角検出手段を備え、
前記制御装置は、前記ねじれ角検出手段にて検出されるねじれ方向が反転する際のねじれ角度がゼロを越えて反転方向の所定の角度に至った時点で、前記電磁コイルに対する印加電流を低減して、前記カム機構に残留するカム推力を開放し、その後、前記電磁コイルに電流を印加して前記メインクラッチ機構を再係合する制御を行うことを特徴とする駆動力伝達装置。
【請求項３】
請求項１または２に記載の駆動力伝達装置であり、当該駆動力伝達装置は、
エンジンの駆動力を前輪側および後輪側に伝達する駆動経路に配設されて、後輪駆動をベースとする前後輪駆動車を構成することを特徴とする駆動力伝達装置。
【請求項４】
請求項１または２の記載に駆動力伝達装置であり、当該駆動力伝達装置は、
エンジンの駆動力を後輪側に伝達する駆動経路に配設されて、前輪駆動をベースとする前後輪駆動車を構成することを特徴とする駆動力伝達装置。
【請求項５】
請求項１または２に記載の駆動力伝達装置であり、当該駆動力伝達装置は、
エンジンの駆動力を左輪側および右輪側に伝達する駆動経路に配設されて、リミテッドスリップデファレンシャルを構成することを特徴とする駆動力伝達装置。
【発明の詳細な説明】
【技術分野】
【０００１】
本発明は、車両の前後輪の動力伝達経路に配置されて前後輪駆動車を構成する駆動力伝達装置や、車両の左右輪の動力伝達経路に配置されてリミテッドスリップデファレンシャルを構成する駆動力伝達装置に関する。
【背景技術】
【０００２】
車両用の駆動力伝達装置の一形式として、外側回転部材と同外側回転部材内にて同軸的かつ回転可能に位置する内側回転部材との間に、メインクラッチ機構、カム機構および電磁式のパイロットクラッチ機構を配設して構成され、前記パイロットクラッチ機構の電磁コイルに電流を印加することにより発生するパイロットトルクを前記カム機構にて軸方向のカム推力に変換し、同カム推力にて前記メインクラッチ機構を押圧して係合動作させて、前記両回転部材間のトルク伝達を行う駆動力伝達装置であって、前記電磁コイルに対する印加電流を増減することにより前記メインクラッチ機構に生じるカップリング伝達トルクを制御する制御装置を備える形式の駆動力伝達装置がある（特許文献１を参照）。
【０００３】
ところで、当該形式の駆動力伝達装置が車両の前後輪の動力伝達経路に配置されて車両を四輪駆動車に構成する使用形態においては、カム機構がパイロットトルクにより作動状態にあって両回転部材間でトルク伝達がなされている場合に、両回転部材の差動回転に反転状態（トルクの反転）が発生することがある。両回転部材の差動回転に反転状態が発生する伝達トルクの反転時には、駆動系を構成する各構成部材のガタや摩擦等に起因するスティクスリップにより伝達トルクの変動（トルク変動）が発生することがあり、また、当該トルク変動は異音の発生原因となることがある。
【０００４】
例えば、当該形式の駆動力伝達装置を搭載する後輪駆動をベースとする四輪駆動車においては、特に発進時では後輪の回転速度が前輪の回転速度より速いが、例えば、この状態から旋回走行状態に移行すると、旋回半径の関係で、前輪の回転速度が後輪の回転速度より速くなって、両回転部材の差動回転が反転する状態が発生する。両回転部材の差動回転が反転すると、駆動系を構成する各構成部材のガタや摩擦等に起因するスティクスリップにより伝達トルクの変動（トルク変動）が発生する。その他、後輪駆動をベースとする四輪駆動車、前輪駆動をベースとする四輪駆動車の両者において、駆動力伝達装置の両回転部材の差動回転が反転する状態が発生する場合としては、前進走行から後進走行に移行した場合、および、後進走行から前進走行に移行した場合がある。
【０００５】
また、当該形式の駆動力伝達装置が車両の左右輪の動力伝達経路に配置されてリミッテッドスリップデファレンシャルを構成する使用形態においては、車両の旋回走行状態時に左右の車輪間で回転速度差が生じて両回転部材に差動回転が発生するが、車両の旋回方向が反転した時点で、駆動力伝達装置の両回転部材の差動回転が反転する状態（トルクの反転）が発生し、両回転部材の差動回転に反転状態が発生する伝達トルクの反転時には、駆動系を構成する各構成部材のガタや摩擦等に起因するスティクスリップにより伝達トルクの変動（トルク変動）が発生することがあり、また、当該トルク変動は異音の発生原因となることがある。
【特許文献１】特許第３８４８８３５号公報
【発明の開示】
【発明が解決しようとする課題】
【０００６】
このように、当該形式の駆動力伝達装置においては、伝達トルクの反転時には、駆動系を構成する各構成部材のガタや摩擦等に起因するスティクスリップにより伝達トルクの変動（トルク変動）が発生することがあり、また、当該トルク変動は異音の発生原因となることがある。このような問題に対処すべく、上記した特許文献１にて提案されている駆動力伝達装置においては、伝達トルクの方向が反転した時点で、メインクラッチ機構におけるトルクを低減する手段が採られている。しかしながら、このようなトルク低減手段を採る場合には、駆動系にねじれが残留しているうちにトルクを低減することになるため、トルク抜けに起因するショックが発生するおそれがある。従って、本発明の目的は、このようなトルク抜けによるショックの発生を防止することにある。
【課題を解決するための手段】
【０００７】
本発明は、駆動力伝達装置に関する。本発明が適用対象とする駆動力伝達装置は、外側回転部材と同外側回転部材内にて同軸的かつ回転可能に位置する内側回転部材との間に、メインクラッチ機構、カム機構および電磁式のパイロットクラッチ機構を配設して構成され、前記パイロットクラッチ機構の電磁コイルに電流を印加することにより発生するパイロットトルクを前記カム機構にて軸方向のカム推力に変換し、同カム推力にて前記メインクラッチ機構を押圧して係合動作させて、前記両回転部材間のトルク伝達を行う駆動力伝達装置であって、前記電磁コイルに対する印加電流を増減することにより前記メインクラッチ機構に生じるカップリング伝達トルクを制御する制御装置を備える形式の駆動力伝達装置である。
【０００８】
しかして、本発明に係る第１の駆動力伝達装置は、上記した形式の駆動力伝達装置であって、前記外側回転部材または同外側回転部材に連結された駆動経路と前記内側回転部材または同内側回転部材に連結された駆動経路との間の駆動系ねじれ角を検出するねじれ角検出手段を備え、前記制御装置は、前記ねじれ角検出手段にて検出されるねじれ角のねじれ方向が反転する際のねじれ角度がゼロの近傍に至った時点で、前記電磁コイルに対する印加電流を低減して、前記カム機構に残留するカム推力を開放し、その後、前記電磁コイルに電流を印加して前記メインクラッチ機構を再係合する制御を行うことを特徴とするものである。
【０００９】
また、本発明に係る第２の駆動力伝達装置は、上記した形式の駆動力伝達装置であって、前記外側回転部材または同外側回転部材に連結された駆動経路と前記内側回転部材または同内側回転部材に連結された駆動経路との間の駆動系ねじれ角を検出するねじれ角検出手段を備え、前記制御装置は、前記ねじれ角検出手段にて検出されるねじれ角のねじれ方向が反転する際のねじれ角度がゼロを越えて反転方向の所定の角度に至った時点で、前記電磁コイルに対する印加電流を低減して、前記カム機構に残留するカム推力を開放し、その後、前記電磁コイルに電流を印加して前記メインクラッチ機構を再係合する制御を行うことを特徴とするものである。
【００１０】
本発明に係るこれらの駆動力伝達装置においては、エンジンの駆動力を前輪側および後輪側に伝達する駆動経路に配設して、後輪駆動をベースとする前後輪駆動車を構成する使用形態を採ることができ、エンジンの駆動力を後輪側に伝達する駆動経路に配設して、前輪駆動をベースとする前後輪駆動車を構成する使用形態を採ることができ、また、エンジンの駆動力を左輪側および右輪側に伝達する駆動経路に配設して、リミテッドスリップデファレンシャルを構成する使用形態を採ることができる。
【発明の効果】
【００１１】
本発明に係る第１の駆動力伝達装置においては、外側回転部材または外側回転部材に連結された駆動経路と内側回転部材または内側回転部材に連結された駆動経路との間の駆動系ねじれ角を検出して、ねじれ方向が反転する際の角度がゼロの近傍に至った時点で、電磁コイルに対する印加電流を低減して、前記カム機構に残留するカム推力を開放し、その後、電磁コイルに電流を印加してメインクラッチ機構を再係合する制御を行うため、駆動系のねじれがほぼ解消された状態でメインクラッチ機構におけるトルク低減がなされることから、トルク抜けに起因するショックの発生を防止することができる。
【００１２】
また、本発明に係る第２の駆動力伝達装置においては、外側回転部材または外側回転部材に連結された駆動経路と内側回転部材または内側回転部材に連結された駆動経路との間の駆動系ねじれ角を検出して、ねじれ方向が反転する際の角度がゼロを越えて反転方向の所定の角度に至った時点で、電磁コイルに対する印加電流を低減して、カム機構に残留するカム推力を開放し、その後、電磁コイルに電流を印加してメインクラッチを再係合する制御を行っているため、上記した第１の駆動力伝達装置と同様、駆動系のねじれがほぼ解消された状態でメインクラッチ機構におけるトルク低減がなされることから、トルク抜けに起因するショックの発生を防止することができる。
【００１３】
特に、本発明に係る第２の駆動力伝達装置のごとく、電磁コイルの印加電流を制御する制御手段を採る場合には、一旦、車両を駆動系のねじれ方向が反転する走行状態に変更したが、車両を元の走行状態に速やかに復帰させる走行状態を採る場合には、電磁コイルに印加する電流の無用な制御を回避することができる利点がある。
【発明を実施するための最良の形態】
【００１４】
本発明に係る駆動力伝達装置は、外側回転部材と同外側回転部材内にて同軸的かつ回転可能に位置する内側回転部材との間に、メインクラッチ機構、カム機構および電磁式のパイロットクラッチ機構を配設して構成され、前記パイロットクラッチ機構の電磁コイルに電流を印加することにより発生するパイロットトルクを前記カム機構にて軸方向のカム推力に変換し、同カム推力にて前記メインクラッチ機構を押圧して係合動作させて、前記両回転部材間のトルク伝達を行う駆動力伝達装置であって、前記電磁コイルに対する印加電流を増減することにより前記メインクラッチ機構に生じるカップリング伝達トルクを制御する制御装置を備える駆動力伝達装置である。
【００１５】
図１には、本発明の一実施形態に係る駆動力伝達装置を示している。当該駆動力伝達装置１０は、軸線を中心として略対称に構成されているもので、図１には、軸線を中心とした略半分の断面を示している。当該駆動力伝達装置１０は、図２に示すように、後輪駆動をベースとする四輪駆動車を構成するトランスファの構成部品として搭載される使用形態が採られ、また、図３に示すように、前輪駆動をベースとする四輪駆動車の後輪側の動力伝達経路の途中に配設される使用形態が採られ、また、図示はしないが、車両の左右輪の動力伝達経路に配置されてリミテッドスリップデファレンシャルを構成する使用形態が採られる。
【００１６】
図２に示す四輪駆動車は、縦型エンジン２１を搭載する後輪駆動をベースとする四輪駆動車であって、エンジン２１の後側に配設したトランスミッション２２の後側にトランスファ２３を備えている。トランスファ２３は、後側プロペラシャフト２４ａと前側プロペラシャフト２４ｂ間に配設されていて、これら両プロペラシャフト２４ａ，２４ｂの連結を断続するもので、エンジン２１の駆動力を後側プロペラシャフト２４ａへ常時出力するとともに、両プロペラシャフト２４ａ，２４ｂが互いに連結されている場合には、エンジン２１の駆動力を分配して前側プロペラシャフト２４ｂへも出力する。
【００１７】
当該四輪駆動車においては、両プロペラシャフト２４ａ，２４ｂが非連結状態にある場合には、エンジン２１の駆動力は後側プロペラシャフト２４ａにのみ出力されて、当該駆動力は後側ディファレンシャル２５ａを介して両アクスルシャフト２６ａ，２６ａに出力して左右の後輪２６ｂ，２６ｂを駆動させる。これにより、当該四輪駆動車は、後輪２６ｂ，２６ｂ駆動の二輪駆動状態を構成する。また、当該四輪駆動車においては、両プロペラシャフト２４ａ，２４ｂが連結状態にある場合には、エンジン２１の駆動力は後側プロペラシャフト２４ａおよび前側プロペラシャフト２４ｂへ分配され、前側プロペラシャフト２４ｂへ出力された駆動力は、前側ディファレンシャル２５ｂを介して両アクスルシャフト２７ａ，２７ａに出力して左右の前輪２７ｂ，２７ｂを駆動させる。これにより、当該四輪駆動車は、四輪駆動状態を構成する。
【００１８】
駆動力伝達装置１０は、図示しない連結機構と一体にトランスファを構成するもので、図１に示すように、外側回転部材であるアウタケース１０ａ、内側回転部材であるインナシャフト１０ｂ、メインクラッチ機構１０ｃ、パイロットクラッチ機構１０ｄ、および、カム機構１０ｅを備えている。
【００１９】
駆動力伝達装置１０を構成するアウタケース１０ａは、筒状のハウジング１１ａと、ハウジング１１ａの後端開口部に嵌合螺着されて同開口部を覆蓋するリヤカバー１１ｂとにより形成されている。ハウジング１１ａは非磁性材料であるアルミ合金にて、かつ、リヤカバー１１ｂは磁性材料である鉄にてそれぞれ形成されている。リヤカバー１１ｂには、その中間部に、非磁性材料であるステンレス製の筒体１１ｃが埋設されており、筒体１１ｃは環状の非磁性部位を形成している。インナシャフト１０ｂは、リヤカバー１１ｂの中央部を液密的に貫通してアウタケース１０ａ内に同軸的に挿入されていて、軸方向を規制された状態で、ハウジング１１ａの前側壁部とリヤカバー１１ｂとに回転可能に支持されている。
【００２０】
インナシャフト１０ｂは、その内孔を貫通する後側プロペラシャフト２４ａとスプライン嵌合して、後側プロペラシャフト２４ａとはトルク伝達可能に連結される。なお、ハウジング１１ａの前側壁部には図示しないドライブスプロケットが一体回転可能に組付けられ、かつ、前側プロペラシャフト２４ｂの外周には図示しないドリブンスプロケットが一体回転可能に組付けられている。これら両スプロケットには、図示しないドライブチェーンが懸装されていて、トランスファの連結機構を構成している。連結機構は、アウタケース１０ａの駆動力を前側プロペラシャフト２４ｂに伝達すべく機能する。
【００２１】
メインクラッチ機構１０ｃは湿式多板式の摩擦クラッチであり、多数のクラッチプレート（インナクラッチプレート１２ａ、アウタクラッチプレート１２ｂ）を備え、ハウジング１１ａ内に配設されている。メインクラッチ機構１０ｃを構成する各インナクラッチプレート１２ａは、インナシャフト１０ｂの外スプライン１１ｄにスプライン嵌合して軸方向へ移動可能に組付けられ、かつ、各アウタクラッチプレート１２ｂはハウジング１１ａの内スプライン１１ｅにスプライン嵌合して軸方向へ移動可能に組付けられている。各インナクラッチプレート１２ａと各アウタクラッチプレート１２ｂは交互に位置していて、互いに当接して摩擦係合するとともに、互いに離間して自由状態となる。
【００２２】
パイロットクラッチ機構１０ｄは、電磁石１３、摩擦クラッチ１４、アーマチャ１５、および、ヨーク１６にて構成されている。電磁石１３は環状を呈し、ヨーク１６に嵌着された状態でリヤカバー１１ｂの環状凹所に嵌合されている。ヨーク１６は、リヤカバー１１ｂの後端部の外周に回転可能に支持された状態で、車体側に固定されている。
【００２３】
摩擦クラッチ１４は、複数のアウタクラッチプレート１４ａとインナクラッチプレート１４ｂとからなる湿式の摩擦クラッチであり、各アウタクラッチプレート１４ａは、ハウジング１１ａの内スプライン１１ｅにスプライン嵌合して軸方向へ移動可能に組付けられ、かつ、各インナクラッチプレート１４ｂは、後述するカム機構１０ｅを構成する第１カム部材１７ａの外スプライン１７ａ1にスプライン嵌合して軸方向へ移動可能に組付けられている。アーマチャ１５は環状を呈するもので、ハウジング１１ａの内スプライン１１ｅにスプライン嵌合して軸方向へ移動可能に組付けられていて、摩擦クラッチ１４の前側に位置してこれと対向している。
【００２４】
以上の構成のパイロットクラッチ機構１０ｄにおいては、電磁石１３の電磁コイル１３ａへ通電することによって、電磁石１３を基点としてヨーク１６、リヤカバー１１ｂ、摩擦クラッチ１４、および、アーマチャ１５を循環する磁束が通るループ状の循環磁路が形成される。電磁石１３の電磁コイル１３ａへの印加電流は、デューティ制御により設定された所定の電流値に制御される。
【００２５】
電磁石１３の電磁コイル１３ａに対する通電の断続（印加電流の断続）は、手動スイッチの切替え操作によってなされ、後述する３つの駆動モードを選択できるようになっている。当該スイッチは、車室内の運転席の近傍に配設されて、運転者が容易に操作し得るようになっている。なお、当該駆動力伝達装置１０を後述する第２の駆動モードのみの構成とすれば、当該スイッチを省略できる。
【００２６】
カム機構１０ｅは、第１カム部材１７ａ、第２カム部材１７ｂ、および、カムフォロアー１７ｃにて構成されている。第１カム部材１７ａは、インナシャフト１０ｂの外周に回転可能に嵌合していて、リヤカバー１１ｂに回転可能に支承されており、その外スプライン１７ａ1には、摩擦クラッチ１４のインナクラッチプレート１４ｂがスプライン嵌合している。第２カム部材１７ｂは、インナシャフト１０ｂの外スプライン１１ｄにスプライン嵌合して一体回転可能に組付けられていて、メインクラッチ機構１０ｃのインナクラッチプレート１２ａの後側に対向して位置している。第１カム部材１７ａと第２カム部材１７ｂの互いに対向するカム溝には、ボール状のカムフォロア１７ｃが介在している。
【００２７】
当該駆動力伝達装置１０においては、パイロットクラッチ機構１０ｄを構成する電磁石１３の電磁コイル１３ａが非通電状態にある場合には磁路は形成されず、摩擦クラッチ１４は非係合状態にある。このため、パイロットクラッチ機構１０ｄは非作動の状態にあって、カム機構１０ｅを構成する第１カム部材１７ａはカムフォロア１７ｃを介して第２カム部材１７ｂと一体回転可能であり、メインクラッチ機構１０ｃは非作動の状態にある。このため、アウタケース１０ａとインナシャフト１０ｂとは非連結状態にあって、車両は後輪２６ｂ，２６ｂが駆動する二輪駆動である第１の駆動モードを構成する。
【００２８】
一方、当該駆動力伝達装置１０において、パイロットクラッチ機構１０ｄの電磁石１３の電磁コイル１３ａへ通電されると、電磁石１３を基点とするループ状の循環磁路が形成されて磁力が発生し、電磁石１３はアーマチャ１５を吸引する。これにより、アーマチャ１５は摩擦クラッチ１４を押圧して摩擦係合させ、カム機構１０ｅの第１カム部材１７ａをアウタケース１０ａ側へ連結させて、第２カム部材１７ｂとの間に相対回転を生じさせる。この結果、カム機構１０ｅでは、カムフォロア１７ｃが両カム部材１７ａ，１７ｂを互いに離間する方向へ押圧する。
【００２９】
このため、第２カム部材１７ｂはメインクラッチ機構１０ｃ側へ押動されて、メインクラッチ機構１０ｃをハウジング１１ａの前側壁部とにより押圧して、摩擦クラッチ１４の摩擦係合力に応じて摩擦係合させる。これにより、アウタケース１０ａとインナシャフト１０ｂ間のトルク伝達が生じ、車両は両プロペラシャフト２４ａ，２４ｂが非直結状態と直結状態間での四輪駆動である第２の駆動モードを構成する。この駆動モードでは、車両の走行状態に応じて、後前輪間の駆動力分配比を１００：０（二輪駆動状態）〜直結状態の範囲で制御することができる。
【００３０】
この第２の駆動モードでは、車輪速度センサ、アクセル開度センサ、舵角センサ等各種のセンサからの信号に基づいて、車両の走行状態や路面状態に応じて電磁コイル１３ａへの印加電流をデューティ制御することにより、摩擦クラッチ１４の摩擦係合力に起因するカム推力が制御されて、前輪２７ｂ，２７ｂ側への伝達トルクが制御される。
【００３１】
また、電磁石１３の電磁コイル１３ａへの印加電流を所定の値に高めると電磁石１３のアーマチャ１５に対する吸引力が増大し、アーマチャ１５は強く吸引されて摩擦クラッチ１４の摩擦係合力を増大させ、両カム部材１７ａ，１７ｂ間の相対回転を増大させる。この結果、カムフォロアー１７ｃは第２カム部材１７ｂに対する押圧力（カム推力）を高めて、メインクラッチ機構１０ｃを結合状態とする。このため、車両は両プロペラシャフト２４ａ，２４ｂが直結状態の四輪駆動である第３の駆動モードを構成する。
【００３２】
当該駆動力伝達装置１０は、図２に示すように、後輪駆動をベースとする四輪駆動車を構成するトランスファの構成部品として搭載されているものであるが、当該駆動力伝達装置１０を、前輪駆動をベースとする四輪駆動車の後輪側の駆動力伝達経路の途中に配設できる構成に変更して、変更された駆動力伝達装置１０Ａを、図３に示すように、後輪側への駆動力伝達経路の途中に配設することにより、前輪駆動をベースとする四輪駆動車を構成することができる。
【００３３】
当該駆動力伝達装置１０Ａにおいては、図１に示す駆動力伝達装置１０を構成するアウタケース１０ａが後述する第１プロペラシャフト２４ｃにトルク伝達可能に連結される構成に変更され、インナシャフト１０ｂが後述する第２プロペラシャフト２４ｄが挿入されてトルク伝達可能に連結される構成に変更されている。当該駆動力伝達装置１０Ａは、アウタケース１０ａに第１プロペラシャフト２４ｃをトルク伝達可能に連結し、かつ、インナシャフト１０ｂに第２プロペラシャフト２４ｄをトルク伝達可能に連結することにより、後輪側への駆動力伝達経路の途中に配設されて、前輪駆動をベースとする四輪駆動車を構成している。
【００３４】
当該四輪駆動車において、トランスアクスル２８はトランスミッション、トランスファおよびフロントディファレンシャルを一体に備えるもので、エンジン２１の駆動力をトランスアクスル２８の前側ディファレンシャル２５ｂを介して、両アクスルシャフト２７ａ，２７ａに出力して左右の前輪２７ｂ，２７ｂを駆動させるとともに、第１プロペラシャフト２４ｃ側に出力させる。第１プロペラシャフト２４ｃは、駆動力伝達装置１０Ａを介して第２プロペラシャフト２４ｄに連結されており、両プロペラシャフト２４ｃ，２４ｄがトルク伝達可能に連結された場合には、駆動力は後側ディファレンシャル２５ａに伝達され、後側ディファレンシャル２５ａから両アクスルシャフト２６ａ，２６ａへ出力されて左右の後輪２６ｂ，２６ｂを駆動させる。
【００３５】
しかして、当該駆動力伝達装置１０においては、電磁石１３の電磁コイル１３ａに対する印加電流を増減することによってメインクラッチ機構１０ｃに生じる伝達トルク（カップリング伝達トルク）を制御する電気的制御装置３０を備えている。電気的制御装置３０は、図４に示すように、マイクロコンピュータおよび駆動回路を内蔵する制御装置３１、および、当該駆動力伝達装置１０を中心として前輪側（左輪側）および後輪側（右輪側）の角速度を検出する角速度検出手段３２ａ，３２ｂを必須とするもので、制御装置３１は、電源３３から電磁コイル１３ａに印加される電流の増減を制御する。
【００３６】
図５は、制御装置３１による電磁石１３の電磁コイル１３ａに対する印加電流の増減制御に不可欠の要素を説明するもので、同図（ａ）は、当該駆動力伝達装置１０を前輪−後輪（左輪−右輪）間に配設された状態を模式的に示するものであり、同図（ｂ）は、カップリング伝達トルクＴと前輪−後輪（左輪−右輪）の駆動系ねじれ角Δθの関係を示すグラフである。なお、同図（ａ）に表示するωＦは前輪（左輪）側の角速度を示し、ωＲは後輪（右輪）側の角速度を示している。また、同図（ｂ）に表示するＴcはカップリング伝達トルクＴのカップリング制御トルクＴcを示し、Δθmaxはカップリング制御トルクＴcで残留可能な駆動系ねじれ角の最大値を示している。
【００３７】
制御装置３１を構成するマイクロコンピュータは、エンジンの始動により動作を開始し、制御プログラム（Ａ）を図６に示すフローチャートに基づいて実行するとともに、制御プログラム（Ｂ），（Ｃ）のいずれかを、図７または図８に示すフローチャートに基づいて実行する。なお、制御装置３１は、当該駆動力伝達装置１０を搭載されている車両の駆動状態を制御するその他の制御プログラムも実行するが、当該制御プログラムを実行するためのフローチャートの表示は省略してある。なお、図５〜図８に示している制御に不可欠の要素の定義については、表１に一括して示している。
【００３８】
【表１】
0005045280.tif 000002
【００３９】
電気的制御装置３０は、パイロットクラッチ機構１０ｄを構成する電磁コイル１３ａに対する印加電流を増減して、前輪（左輪）−後輪（右輪）（アウタケース１０ａとインナシャフト１０ｂ間）のトルク（カップリング伝達トルクＴ）を制御するもので、制御装置３１を構成するマイクロコンピュータは、エンジンの始動よって動作を開始し、先ず、制御プログラム（Ａ）を図６に示すフローチャートに基づいて実行して、前輪（左輪）−後輪（右輪）駆動系のねじれ角の最大値Δθsを記憶し、次いで、制御プログラム（Ｂ），（Ｃ）のいずれかを図７または図８に示すフローチャートに基づいて実行して、カップリング伝達トルクＴの制御を行う。
【００４０】
図７に示すカップリング伝達トルクＴの制御プログラム（Ｂ）は、前輪（左輪）−後輪（右輪）駆動系のねじれ方向が反転する際の駆動系ねじれ角Δθがゼロの近傍に至った時点で電磁コイル１３ａに対する印加電流を低減して、カム機構１０ｅに残留するカム推力を開放し、その後、メインクラッチ機構１０ｃを再係合する制御を行うものである。一方、図８に示すカップリング伝達トルクＴの制御プログラム（Ｃ）は、前輪（左輪）−後輪（右輪）駆動系のねじれ方向が反転する際の駆動系ねじれ角Δθがゼロを越えて反転方向の所定の角度に至った時点で、電磁コイル１３ａに対する印加電流を低減して、カム機構１０ｅに残留するカム推力を開放し、その後、メインクラッチ機構１０ｃを再係合する制御を行うものである。
【００４１】
制御装置３１を構成するマイクロコンピュータは、前輪（左輪）−後輪（右輪）駆動系のねじれ角の最大値Δθsを記憶する制御プログラム（Ａ）の実行では、前輪（左輪）の角速度ωＦと後輪（右輪）の角速度ωＲから前輪（左輪）−後輪（右輪）駆動系の相対角θwを算出し（ステップ１０１）するとともに、カップリング制御トルクＴｃと駆動系剛性特性から、カップリング制御トルクＴｃで残留可能な駆動系最大ねじれ角Δθmaxを算出する（ステップ１０２）。なお、駆動系最大ねじれ角Δθmaxは、図５（ｂ）に示すグラフ（マップ化）から算出してもよく、また、計算によって算出してもよい。
【００４２】
次いで、マイクロコンピュータは、ステップ１０３にて、算出された駆動系相対角θwの絶対値と算出された残留可能な駆動系最大ねじれ角Δθmaxの絶対値を比較し（ステップ１０３）、駆動系相対角θwの絶対値が残留可能な駆動系最大ねじれ角Δθmaxより小さい場合には、前輪（左輪）−後輪（右輪）駆動系ねじれ角Δθと駆動系相対角θwとが等しいものとし（ステップ１０４）、駆動系相対角θwが残留可能な駆動系最大ねじれ角Δθmaxと同等かこれより大きい場合には、前輪（左輪）−後輪（右輪）駆動系ねじれ角Δθと残留可能な駆動系最大ねじれ角Δθmaxとが等しいものとして（ステップ１０５）、制御プログラムをステップ１０６に進める。
【００４３】
マイクロコンピュータは、ステップ１０６では、残留可能な駆動系最大ねじれ角Δθmaxの絶対値が所定の角度Δθ1以上か否かを判定し、残留可能な駆動系最大ねじれ角Δθmaxの絶対値が所定の角度Δθ1以上であると判定した場合には、ステップ１０７にて、駆動系ねじれ角Δθの絶対値が所定の角度Δθ2以上か否かを判定し、駆動系ねじれ角Δθの絶対値が所定の角度Δθ2以上であると判定した場合には、ステップ１０８にて、駆動系ねじれ角の最大値Δθsは駆動系ねじれ角Δθであるとしてこれを記憶する。
【００４４】
一方、マイクロコンピュータは、ステップ１０６にて、残留可能な駆動系最大ねじれ角Δθmaxの絶対値が所定の角度Δθ1未満であると判定した場合には、ステップ１０９にて、駆動系ねじれ角の最大値Δθsは０であるものして、駆動系ねじれ角の最大値Δθsの記憶をクリアする。すなわち、残留可能な駆動系最大ねじれ角Δθmaxの絶対値が所定の角度Δθ1未満である場合には、ねじれによるエネルギーが小さいものと判定して、駆動系ねじれ角の最大値Δθsの記憶をクリアする。また、マイクロコンピュータは、ステップ１０７にて、駆動系ねじれ角Δθの絶対値が所定の角度Δθ2未満であると判定した場合には、駆動系ねじれ角の最大値Δθsを記憶することなく、制御プログラムの実行を終了する。
【００４５】
マイクロコンピュータは、上記した駆動系ねじれ角の最大値Δθsを記憶するか否かの制御を終了した時点で、カップリング伝達トルクＴの制御プログラム（Ｂ），（Ｃ）のいずれかを、図７または図８に示すフローチャートに基づいて実行する。
【００４６】
図７に示すカップリング伝達トルクＴの制御プログラム（Ｂ）は、前輪（左輪）−後輪（右輪）駆動系のねじれ方向が反転する際の駆動系ねじれ角度Δθがゼロの近傍に至った時点で電磁コイル１３ａに対する印加電流を低減して、カム機構１０ｅに残留するカム推力を開放し、その後、メインクラッチ機構１０ｃを再係合する制御を行うものである。
【００４７】
マイクロコンピュータは、ステップ２０１にて、駆動系ねじれ角の最大値Δθsが記憶されているか否かを判定し、駆動系ねじれ角の最大値Δθsが記憶されていると判定した場合には、ステップ２０２にて、駆動系ねじれ角Δθの絶対値が所定の角度Δθ3以下否かを判定し、駆動系ねじれ角Δθの絶対値が所定の角度Δθ3以下であると判定した場合には、駆動系のねじれ方向が反転する際の駆動系ねじれ角度Δθがゼロの近傍に至ったものと判定して、ステップ２０３にて、制御トルクを所定時間低減して、カム機構１０ｅに残留するカム推力を開放し、その後に、メインクラッチ機構１０ｃを再係合させる。
【００４８】
一方、マイクロコンピュータは、ステップ２０１にて、駆動系ねじれ角の最大値Δθsが記憶されていないものと判定した場合、および、ステップ２０２にて、駆動系ねじれ角Δθの絶対値が所定の角度Δθ3を越えるものと判定した場合には、制御トルクを所定時間低減する制御を行うことなく、制御プログラムの実行を終了する。
【００４９】
このように、当該制御プログラム（Ｂ）の実行では、駆動系のねじれ方向が反転する際の駆動系ねじれ角Δθがゼロの近傍に至った時点で電磁コイル１３ａに対する印加電流を低減して、カム機構１０ｅに残留するカム推力を開放し、その後、メインクラッチ機構１０ｃを再係合する制御を行うものであることから、駆動系のねじれがほぼ解消された状態でメインクラッチ機構１０ｃにおけるトルク低減がなされることになり、トルク抜けに起因するショックの発生を防止することができる。
【００５０】
図８に示すカップリング伝達トルクＴの制御プログラム（Ｃ）は、前輪（左輪）−後輪（右輪）駆動系のねじれ方向が反転する際の駆動系ねじれ角Δθがゼロを越えて反転方向の所定の角度に至った時点で、電磁コイル１３ａに対する印加電流を低減して、カム機構１０ｅに残留するカム推力を開放し、その後、メインクラッチ機構１０ｃを再係合する制御を行うものである。
【００５１】
マイクロコンピュータは、ステップ３０１にて、駆動系ねじれ角の最大値Δθsが記憶されているか否かを判定し、駆動系ねじれ角の最大値Δθsが記憶されていると判定した場合には、ステップ３０２にて、（駆動系ねじれ角Δθ×駆動系ねじれ角の最大値Δθs）がゼロ未満か否かを判定し、（駆動系ねじれ角Δθ×駆動系ねじれ角の最大値Δθs）がゼロ未満であると判定した場合には反転があったものとして、ステップ３０３にて、駆動系ねじれ角Δθの絶対値が所定の角度Δθ4以上であるか否かを判定し、駆動系ねじれ角Δθの絶対値が所定の角度Δθ4以上であると判定した場合には、駆動系のねじれ方向が反転する際の駆動系ねじれ角Δθがゼロを越えて反転方向の所定の角度に至ったものと判定して、ステップ３０４にて、制御トルクを所定時間低減して、カム機構１０ｅに残留するカム推力を開放し、その後、メインクラッチ機構１０ｃを再係合させる。
【００５２】
一方、マイクロコンピュータは、ステップ３０１にて、駆動系ねじれ角の最大値Δθsが記憶されていないものと判定した場合、ステップ３０２にて、（駆動系のねじれ角Δθ×駆動系ねじれ角の最大値Δθs）がゼロ以上であると判定した場合、および、ステップ３０３にて、駆動系ねじれ角Δθの絶対値が所定の角度Δθ4未満であると判定した場合には、制御トルクを所定時間低減する制御を行うことなく、制御プログラムの実行を終了する。
【００５３】
このように、当該制御プログラム（Ｃ）の実行によれば、駆動系のねじれ方向が反転する際の駆動系ねじれ角度Δθがゼロを越えて反転方向の所定の角度に至った時点で、電磁コイル１３ａに対する印加電流を低減して、カム機構１０ｅに残留するカム推力を開放し、その後、メインクラッチ機構１０ｃを再係合する制御を行うものであることから、駆動系のねじれがほぼ解消された状態でメインクラッチ機構１０ｃにおけるトルク低減がなされることになり、トルク抜けに起因するショックの発生を防止することができる。当該制御プログラム（Ｃ）によれば、特に、一旦、駆動系の回転方向が反転する走行状態に変更したが、車両を元の走行状態にすぐに復帰させる走行状態を採る場合には、電磁コイル１３ａに対する無用な印加電流の制御を回避することができる利点がある。
【図面の簡単な説明】
【００５４】
【図１】本発明の一実施形態に係る駆動力伝達装置の部分断面図である。
【図２】同駆動力伝達装置をトランスファに組込んで搭載した後輪駆動をベースとする四輪駆動車のスケルトン図である。
【図３】同駆動力伝達装置を搭載した前輪駆動をベースとする四輪駆動車のスケルトン図である。
【図４】同駆動力伝達装置を構成する電気的制御装置の概略を示すブロック図である。
【図５】同駆動力伝達装置を配設した駆動系の構成を概略的に示す模式図（ａ）、および、カップリングトルクＴと駆動系ねじれ角Δθとの関係を示すグラフ（ｂ）である。
【図６】同駆動力伝達装置における駆動系ねじれ角の最大値Δθsを記憶する制御プログラム（Ａ）を実行するためのフローチャートである。
【図７】同駆動力伝達装置におけるカップリング伝達トルクＴの制御プログラム（Ｂ）を実施するためのフローチャートである。
【図８】図駆動力伝達装置におけるカップリング伝達トルクＴの制御プログラム（Ｃ）を実施するためのフローチャートである。
【符号の説明】
【００５５】
１０，１０Ａ…駆動力伝達装置、１０ａ…アウタケース、１０ｂ…インナシャフト、１０ｃ…メインクラッチ機構、１０ｄ…パイロットクラッチ機構、１０ｅ…カム機構、１１ａ…ハウジング、１１ｂ…リヤカバー、１１ｃ…筒体、１１ｄ…外スプライン、１１ｅ…内スプライン、１２ａ…インナクラッチプレート、１２ｂ…アウタクラッチプレート、１３…電磁石、１３ａ…電磁コイル、１４…摩擦クラッチ、１４ａ…アウタクラッチプレート、１４ｂ…インナクラッチプレート、１５…アーマチャ、１６…ヨーク、１７ａ…第１カム部材、１７ｂ…第２カム部材、１７ｃ…カムフォロア、２１…エンジン、２２…トランスミッション、２３…トランスファ、２４ａ…後側プロペラシャフト、２４ｂ…前側プロペラシャフト、２４ｃ…第１プロペラシャフト、２４ｄ…第２プロペラシャフト、２５ａ…後側ディファレンシャル、２５ｂ…前側ディファレンシャル、２６ａ…後側アクスルシャフト、２６ｂ…後輪、２７ａ…前側アクスルシャフト、２７ｂ…前輪、２８…トランスアクスル、３０…電気的制御手段、３１…制御装置、３２ａ，３２ｂ…角速度検出手段、３３…電源。
【図１】
0005045280.tif 000003
【図２】
0005045280.tif 000004
【図３】
0005045280.tif 000005
【図４】
0005045280.tif 000006
【図５】
0005045280.tif 000007
【図６】
0005045280.tif 000008
【図７】
0005045280.tif 000009
【図８】
0005045280.tif 000010